Podtech/llm-jp-corpus-v4-ja_patent huggingface dataset:
(57)【要約】  【課題】携帯ストラップを取り付ける箇所は小さい場合が多く（数ミリ程度）、ストラップ紐の輪の部分を通すため通りにくかったり、またそこにいくつものストラップをつけようと思うと、何本も紐を通さなければならないため、同じく通りにくかったり時間がかかったりする。また、取り付け箇所が小さいことから見えにくく取り付けにくいといった現状にストラップを容易に取り付けることができるようにすることを課題とする。【解決手段】ストラップ通し紐を考案することで、その形状などから上記の課題を解決し、どこでも簡単にストラップ取り付けを出来るようにするものである。【選択図】図２
2008200151.tif 000002
【特許請求の範囲】
【請求項１】
携帯電話・デジタルカメラなどの携帯ストラップ取り付け箇所に、ストラップを容易に取り付けすることが出来るようにする通し紐の役割をするストラップ。
【発明の詳細な説明】
【技術分野】
【０００１】
本発明は、携帯電話の普及に伴い、装飾・落下防止目的等で本体に多数のストラップをつけることが多い現状に対して、ストラップ取り付け箇所に1〜数個のストラップを簡単に取り付けるための通し紐の役割をするストラップに関する。
【背景技術】
【０００２】
ストラップ紐を通すにあたり、小さい通し穴（数ミリ程度）に複数のものを通したい、あるいは見えにくい箇所に容易に通すことが出来るようにするためのものである。
【発明の開示】
【発明が解決しようとする課題】
【０００３】
携帯ストラップを取り付ける箇所は小さい場合が多く（数ミリ程度）、ストラップ紐の輪の部分を通すため通りにくかったり、またそこにいくつものストラップをつけようと思うと、何本も紐を通さなければならないため、同じく通りにくかったり時間がかかったりする。また、取り付け箇所が小さいことから見えにくく取り付けにくいといった現状にストラップを容易に取り付けることができるようにすることを課題とする。
【課題を解決するための手段】
【０００４】
上記課題を解決するために、ストラップとして携帯しながら、通し紐の役割をして容易に通せるよう、折れ曲がりや、曲がった取り付け箇所でも対応でき、かつ紐を通しやすいように先端にある程度の硬さを持たせる。
【発明の効果】
【０００５】
場所を問わず、新しいストラップを購入したときでもすぐにつけることが出来る。
ストラップ通し穴が見えにくくても、取り付けやすく、煩わしさを軽減する。
【発明を実施するための最良の形態】
【０００６】
通したいストラップを、折れ曲がっても大丈夫な真ん中の紐の部分に掛けるため、現在一般的に使われているストラップ紐を発明品の中ほどに付ける。その紐の先端部から数センチまではストラップ通し穴を折れないで通す必要があるため、セルで覆うかまたは、合成樹脂のような固めの素材で、曲がるが元の形状をある程度維持できるもので構成する。
【０００７】
図面番号を使っての部位の説明
１のかけ紐部位は、発明品と携帯電話などを繋ぐかけ紐である。
２の装飾部位は、特に形状・素材にこだわらずファッション性を持たせる飾り部分である。
３の部位は、素材には特にこだわらず発明品を使用して紐通しをしやすい長さを持たせる。
４の部位は、１のかけ紐と同じような素材で、取り付けようとするストラップの紐を通す部分であるので丈夫で、擦れ・曲げ・折りが自由に出来る紐等で構成する。
５の部位は、携帯電話などの紐の通し穴をスムーズに通せるように曲がりの利く半硬質素材で構成する。
【０００８】
図面番号を使っての使用説明
１  ６のストラップ通し穴へ発明品を通す。
２  携帯電話などに７のストラップの紐部分を５から４に通し４の部分から折り返して再度６のストラップ通し穴へ通す。
３  発明品の３と５の部分を持って７のストラップの紐を引き上げストラップ通し穴から７を出し、発明品からはずして取り付ける。
【図面の簡単な説明】
【０００９】
【図１】発明品の全体図である。
【図２】発明品を使って、携帯電話のストラップ通し穴へストラップ紐を通す図である。
【符号の説明】
【００１０】
１  ストラップ本体かけ紐
２  ストラップ装飾部
３  中間部
４  ストラップ紐かけ部位
５  ストラップかけ穴通し部位
６  携帯電話などのストラップ紐の通し穴
７  携帯電話などにつけようと思うストラップ
【図１】
2008200151.tif 000003
【図２】
2008200151.tif 000004
(57)【要約】【課題】企業や医療現場から排出される廃棄物を安全に且つ安価に減容するシステムを提供する。【解決手段】廃棄物（２）より熱特性の優れた外容器（１）を少なくとも上面加熱部（５）により上下方向から加熱しながら昇降機構（６）により圧縮減容し、折り込み用腕（１５）により減容された廃棄物を容器の内部に含んだ状態で容器の上部を折り畳み袋状にする。以上を特徴とする。【選択図】図１
2008200746.tif 000002
【特許請求の範囲】
【請求項１】
外容器（１）を容器の機能を残しながら廃棄物（２）の容積を小さくする減容システム
【請求項２】
廃棄対象の内容物に上下方向からの熱源、上面加熱部（５）のみ若しくは下面加熱部（４）も加えた請求項１の減容システム
【請求項３】
内空間（１０）と外空間（１１）を設けた請求項１若しくは請求項２の減容システム
【請求項４】
脱臭フィルタ（９）及び送風機（１４）より主に構成される脱臭機構を設けた請求項１若しくは請求項２若しくは請求項３若の減容システム
【請求項５】
折り込み用腕（１５）を昇降機構（６）と連動若しくは独立した形態で設けた請求項１若しくは請求項２若しくは請求項３若しくは請求項４の減容システム
【請求項６】
上面加熱部（５）の外周部に可動外筒（１７）を上下動作可能に設けた請求項１若しくは請求項２若しくは請求項３み若しく請求項４若しくは請求項５の減容システム
【請求項７】
下面受け座（３）を回転可能に設けた請求項１若しくは請求項２若しくは請求項３み若しく請求項４若しくは請求項５もしくは請求項６の減容システム
【発明の詳細な説明】
【技術分野】
【０００１】この発明は、取り扱いに注意を必要とする医療現場で排出される注射針等が混在した廃棄物や企業から排出されるプラスチックスと金属の混合した廃棄物の容積を減じる機械に関するものである。
【背景技術】
【０００２】従来、医療分野では厳重に堅牢で密閉した容器に入れて保管したり、ポリバケツに類した容器に入れられた廃棄物をこの容器にいれた状態で底面から高温の液体の中に浸漬する方法や温風で溶かす方法が有った。また企業では指定された特定のプラスチック袋を購入しそのまま用いていた。
【発明の開示】
【発明が解決しようとする課題】
【０００３】そのためには次のような問題点があった。
医療の分野では堅牢な容器を用いる方法は容器の費用が高価であり、高温の液体で底面から溶かす方法は減容したあとに減容物に液体が作業者や周りの設備に付着するため取り扱い時や搬送時の作業性が悪く、液体の再生等にも問題が有った。温風で減容する方法は効率が悪く内容物の安定した減容形状を確保することが難しかった。又一般の企業で用いるプラスチック袋は高価で企業の負担が大きかった。
本発明はこれらの問題点を解決するためになされたものである。
【課題を解決するための手段】
【０００４】本案は内容物とは特性が異なる容器にたまった内容物を上下からの加熱機構によりこの容器の中で減容し、減容した後も容器として用いる。
以上を特徴とする減容システムである。
【発明の効果】
【０００５】（ア）外側の容器を残すために先のとがった例えば針やピン等の危険なものも飛び出すことが無く安全である。
（イ）取り扱いの困難なたとえば薬品が含まれていても漏れ出すことがないため安全である。
（ウ）高温の中で減容されるため内容物が高温殺菌され安全性が高い。
（エ）外側の容器は熱的な特性以外は堅牢である必要がないため簡便な方法で制作可能なため安価である。
（オ）機構的に単純であるため装置の寸法が小さく設置場所の制限が少ない。
（カ）可動外筒により廃棄物が中央に集める効果が高いため減容率が増加する。
【発明を実施するための最良の形態】
【０００６】以下に本発明の実施の形態について主に図１を用いて説明する。
（イ）下面加熱部（４）を設けた下面受け座（３）を上下動作が可能な昇降機構（６）と連結部（７）を介して内壁（１６）の内側の内空間（１０）及び外空間（１１）で接続し設ける。
（ロ）上部冷却機構（８）及び上面加熱部（５）を設けた概略円筒状の上面加圧部（９）を内空間（１０）の上部に設け、上下方向に動作可能な可動外筒（１７）を上面加圧部（９）の外部に設ける。
（ハ）６面を断熱材等で断熱され、構造材で補強された内壁（１６）の外側に脱臭フィルタ（１３）及び送風機（１４）を備えた外空間（１１）を設け更に外側には開閉扉のついた主に金属製の外壁（１２）を設ける。
（ニ）内容物より熱特性の優れた材質でできた外容器（１）を下面受け座（３）にもうける。
（ホ）内空間の規定の高さの位置に複数の方向より中心方向に動く折り込み用腕（１５）を設ける。
本発明は以上のような構成で、これを使用するときは、減容の対象となる物質である廃棄物（２）が収容された外容器（１）を下面受け座（３）に設置し、開閉扉を閉じることにより、下面加熱部（４）上面加熱部（５）が動作し、更に可動外筒（１７）の下降、昇降機構（６）の上昇により廃棄物（２）が下面及び上面から温められながら溶解し、可動外筒（１７）及び外容器（１）の底に固まりとなりたまる。この後冷却機構（８）の作動及び昇降機構（６）の下降により冷却され溶解した廃棄物（２）から遠ざかる。この後折り込み用腕（１５）が外容器（１）の上部を折り込み蓋を形成し、再度上面加熱部（５）の昇温及び昇降機構（６）による上昇動作に伴い折り込まれた部位が相互に、更に溶解した廃棄物（２）と熱容着される。
この後内空間（１０）の内部の空気が脱臭及び冷却のために送風機（１４）及び上部冷却機構（８）により撹拌される。
この際外壁（１２）の内外に放熱用のフインを設けてもよい、外容器（１）は金属製でもよいし、部分的に金属を用いてもよい。加熱部には熱線ヒーターや赤外線ヒーター、電磁誘導加熱、熱風等を用いてもよい。加圧方向は上面のみからでもよい。上下の加熱部の表面形状は凹凸を設けたものでもよい。
下面加熱部（４）は用いなくても良いし補助的に用いる方法でも良い。
上部冷却機構（８）の代わりに廃棄物の表面に付着しにくい部材を用いて、廃棄物（２）との分離を行ってもよい。
容器の折り込みの際には加熱動作により容器の軟化を補助する方法を用いてもよい。折り込み用腕（１５）は下面加熱部（４）と独立した形態でもよいし、折り込み用腕（１５）の数を減らし下面受け座（３）に回転機構を設けてもよい。
【図面の簡単な説明】
【０００７】
【図１】本発明の正面からみた断面図である。
【符号の説明】
【０００８】１外容器
２廃棄物
３下面受け座
４下面加熱部
５上面加熱部
６昇降機構
７連結部
８上部冷却機構
９上面加圧部
１０内空間
１１外空間
１２外壁
１３脱臭フィルタ
１４送風機
１５折り込み用腕
１６内壁
１７可動外筒
【図１】
2008200746.tif 000003
(57)【要約】【課題】高齢者や体の不自由な人が住居に一人で生活している場合、体調変化等の生活変化情報をいち早く、家族や介護者に送信する事は非常に重要な事である。従来は、要介護者本人の何らかの行動がなければ、家族や介護者はその変化を知る方法が無かった。【解決手段】本発明は、要介護者の住居内複数箇所に、温度変化、照度変化、熱源（体温）移動を把握する本発明のセンサーユニットを設置し、それらセンサーからの信号を生活環境変化情報として、本発明のコントローラーが無線で受信し、家族や介護者の携帯電話等に送信するシステム。これにより、要介護者による何らかの操作行動を期待しなくても自然な生活状態の変化を介護者は知る事が可能となり、要介護者の体調異常の早期発見、早期対処が期待できる。【選択図】図１
2008140348.tif 000002
【特許請求の範囲】
【請求項１】
高齢者の在宅生活状況を、その部屋の温度変化、照度変化、熱源（体温）移動を常時計測して生活環境情報として、事前の設定時間毎に携帯電話通信網、または、インターネット回線網を利用して家族や介護者に送信するシステム。
【請求項２】
本システムは、複数のセンサーユニットと、１個のコントローラーユニットからなり、センサーユニットは、温度、照度、熱源（体温）移動のセンサーと、コントローラーユニットへ周波数２．４ＧＨｚでの無線送信機能を有する。
コントローラーユニットは、各センサーユニットからの温度、照度、熱源（体温）等の生活環境情報を周波数２．４ＧＨｚの無線により受信し、携帯電話通信網、または、インターネット経由でインターネット配信機能のある、サーバーへ送信する機能を有する。
【請求項３】
請求項２のシステムに、人体に装着した加速度センサーで、人体の重力に対する傾きを計測して、人体の動きを認識して介護者の異常を検出する機能を付加したシステム。
【請求項４】
サーバーは、センサー情報からの介護者の生活リズムの変化を認識して、介護者の異常を検出できるシステム。
【発明の詳細な説明】
【技術分野】
【０００１】    本発明は生活環境計測装置及び無線送受信装置に関する。
【背景技術】
【０００２】    高齢者や体の不自由な人が住居に一人で生活している場合、体調変化等に起因する生活環境変化情報をいち早く、家族や介護者に送信する事は非常に重要な事であるが、従来、生活環境変化情報を詳細に把握して送信するシステムは存在していない。本方式では、要介護者の住居内複数箇所に、温度変化、照度変化、熱源（体温）移動を把握するセンサーユニットを設置し、それらセンサーからの情報を無線でコントローラーユニットが集約受信し、家族や介護者の携帯電話等に送信するシステムに関する発明。
【発明の開示】
【発明が解決しようとする課題】
【０００３】    従来、高齢者や体の不自由な人が住居に一人で生活している場合、体調変化等の情報は、本人が何らかの行動をとらなくては、家族や介護者に送信する事は出来なかった。電話を掛ける、給湯ボタンを押すなど。【０００４】    また、高齢者や体の不自由な人に対して、複雑な連絡装置の操作や維持保全作業は困難である。【０００５】    従来の行動把握センサーは、設置場所が制限されて、本来の生活パターンに適合せず、行動未検出でセンサーとしての機能が不完全であった。【０００６】    本発明ではセンサーの設置場所は殆んど制限が無く、生活者の自然な行動妨げる事も無く、行動未検出も発生しない。【０００７】    本発明の機能形態を図１〜図３に基づいて説明する。【０００８】    本発明のセンサーユニットを要介護者の生活居室に設置する。センサーユニットは周囲の温度・照度・熱源（体温）移動を常時計測する。【０００９】    本発明のコントローラーユニットを生活居室の何れかに複数個設置する。【００１０】    センサーユニットは設定時間毎に、計測した情報を無線（例えば、２．４ＧＨｚの周波数）を用いてコントローラーへを送信する。【００１１】    コントローラーユニットは、各センサーユニットからの、温度・照度・熱源（体温移動）の生活環境情報を受信し集約して、設定時間毎に予め設定した、家族、介護者に携帯電話通信網、又は、インターネットを経由して送信する。【００１２】    予め設定した、家族、介護者は、携帯電話に着信した要介護者の生活環境情報の変化を容易に確認する事が可能で、いち早く、要介護者への対応が可能となる。
【発明の効果】    上述したように本発明は、要介護者の生活環境情報を要介護者の特別な操作や行動を必要とせず、自然な生活状況を常時計測しながら、それら情報を一定時間毎に介護者に伝達する事が可能となる。従来の限定的な行動感知装置ではなく、生活環境変化情報の信頼性を高める事が可能となるものである。
【発明を実施するための最良の形態】
【００１３】    以下、本発明の実施形態を図１、図２、図３に基づいて説明する。【００１４】    図１は、本発明の機器の標準的配置示している。【００１５】    図２、センサーユニットは、常時周囲の温度・照度・熱源（体温移動）を計測し、その情報をコントローラーユニットに送信する。【００１６】    図３、コントローラーユニットは各々のセンサーユニットからの生活環境情報を集約し設定時間毎に予め設定された家族・介護者に携帯電話通信網を利用して送信する。【００１７】    家族・介護者は、携帯電話等に着信する要介護者の生活環境情報を把握する事で、要介護者の生活状況を知る事が可能となる。
【図面の簡単な説明】
【００１８】
【図１】本発明の設置及び機能説明図
【図２】本発明のセンサーユニット図
【図３】本発明のコントローラーユニット図
【符号の説明】
【００１９】  １  本発明のセンサーユニット
２  室内温度センサー
３  室内照度センサー
４  熱源（体温）移動センサー
５  本発明のコントローラーユニット
６  センサーからコントローラーへの情報送信用アンテナ
７  センサーからの受信用アンテナ
８  コントローラーから携帯電話等への情報送信用アンテナ
９  コントローラー内情報送信ユニット
１０コントローラー内情報計測ユニット
【図１】
2008140348.tif 000003
【図２】
2008140348.tif 000004
【図３】
2008140348.tif 000005
(57)【要約】【課題】従来のパソコン用マウスパッドは、範囲が狭くまたパット及びマウス本体も汚れて動きが悪くなり、使いづらかった。【解決手段】マウスの底の形に合わせ、光センサー部分を切り抜いたフェルト及び不織布等に粘着シート加工を施し、マウスの底に張り付けられるようにする。。マウスパッドがマウスに付いているため、従来のマウスパッドは不要。平らなところならどこでもＯＫ。範囲や場所を選ばない。汚れたら剥がして新しいものと簡単取り替えることが出来るなど、常に清潔で軽快な動きを保てる。【特許請求の範囲】
【請求項１】
マウス本体に装着するパット
【発明の詳細な説明】
【技術分野】
【０００１】この発明は、フェルト及び不織布等で作られたマウス本体に装着するマウスパッドである。
【技術背景】
【０００２】従来は、このようにものはなかった。
【発明の開示】
【発明が解決しようとする課題】
【０００３】従来のマウスパッドは、範囲が狭くまたパット及びマウス本体も汚れて動きが悪くなり、使いづらかった。
【課題を解決するための手段】
【０００４】マウスの底の形に合わせたフェルト及び不織布等に粘着シート加工を施し、マウスの底に張り付けて使用する。何層にも重ねれば取り替えがさらに簡単になる。
【発明の効果】
【０００５】マウスパッドがマウスに付いているため、従来のマウスパッドは不要。平らなとこならどこでもＯＫ．範囲や場所を選ばない。汚れたら剥がして新しいものと簡単に取り替えることが出来るなど、常に清潔で軽快な動きを保てる。
【発明の実施をするための最良の形態】
【０００６】以下、本発明の実施の形態について説明する。
イ．マウスの底の形に合わせたフェルト及び不織布等を用意する。ロ．粘着シート加工を施すハ．光センサー部分を切り抜く。ニ．シートを剥がしマウスの底に張り付ける。ホ．汚れたら剥がして新しいものと交換する。
(57)【要約】      （修正有）【課題】患者データや電子カルテシステムを外部のネットワークに接続されたサーバーから保護する方法を提供する。【解決手段】インターネットサーバーは常に不正侵入や不正データによって脅かされている、それらの脅威を防ぐために次に三つの方法を備えている。動的ポート番号制御機能は、セッションごとまたは時間ごとインターネットサーバーと接続されるポートの番号を変化させる。フィルタリング機能は、ネットワークサーバーから入力されるデータまたはコマンドはすべて指定されるから形式以外のものは通過させない。代理ＳＱＬ発行機能は、ＳＱＬ発行をすべてＳＧＳが行い、その実行結果もすべてＳＧＳ側で取得する、取得された結果は再びフィルタリングを通って必要なものだけインターネットサーバーに返される。【選択図】図１
2008140315.tif 000002
【特許請求の範囲】
【請求項１】
外部ネットワークに直接接続されたサーバーと、構内LANによってのみ構成されたピュアなネットワークを接続し、相互間データのやり取りを行いながら内部のネットワークを保護する「アプリケーション・ファイアウオール」で高度なセキュリティーを実現すること、ネットワークサーバーから入ったデータをチェックして予め登録されているパターンと合致するデータのみパスさせると同時にウイルスチェックも行われる。
【請求項２】
外部ネットワークサーバーからのデータで、構内LANに接続されたサーバーに対してのSQL操作を実行すること、APC（動的ポートコントロール）は開閉ポート番号を自動的にセッション単位で変更する機能である、変更は乱数によって決定されるためハッカーの侵入を極めて困難にする。
【請求項３】
外部と内部のネットワークを完全に切り離すことにより、ソフト的にもハード的にもお互いを意識する必要が無くなり、お互いのネットワークはブラックボックス化すること、
SGSは直接ネットワークサーバーからのSQL発行は禁止している、その訳は、まず、侵入者による悪意のデータベース操作を防ぐため、次に、内部（構内LAN）サーバー系のデータベースアプリケーションを全く変更しなくてもよい、さらに、ネットワークシステムからのSQLゼネレーションコマンドのみによってデータベースが管理されるので、構内LAN系から見た場合、ネットワーク系もブラックボックス化している。
【発明の詳細な説明】
【技術分野】
【０００１】
本発明は、外部のネットワークに接続されたサーバーから内部のシステムを保護するものである。
【背景技術】
【０００２】
セキュリティー・ゲートウェー・サーバーは、ネットワークからの不正侵入を保護するファイアウオールやデータベースを保護する代理SQL発行機能などの技術を持っている。
【特許文献１】特開２００６−１２０２０
【発明の開示】
【発明が解決しようとする課題】
【０００３】
総合病院でのシステム管理は基本的には外部ネットワークとの接続をしないで、単独のシステム系として運用されている、これは大切な患者データや電子カルテシステムを外部からの侵入者を防ぐためのやり方である、しかし、現在では、患者個人との情報交換を無視することが出来ない状態となり、たとえば、ネットワークを利用した予約システムや待合室情報がネットワークを利用して閲覧できるシステムなどはどうしても外部ネットワークに内部のデータベースを接続させざるを得ない状態である。従って、ネットワークサーバー系と内部処理系とを安全にかつ柔軟に接続できる方法が必要である。
【課題を解決するための手段】
【０００４】
本製品は外部ネットワークに接続されるネットワークサーバーと内部のシステムを接続するゲートウェーとして機能する、インターネットサーバーは常に不正侵入や不正データによって脅かされている、そのためそのままでは内部のシステム系にデータを送ることはできない、本発明はそれらの脅威を防ぐために次に三つの方法を備えている。
【０００５】
方法一、動的ポート番号制御機能。
本仕組みはセッションごとまたは時間ごとにインターネットサーバーと接続されるポートの番号を変化させるシステムである、これにより、ポートスキャンなどの侵入に対しての防御が可能になる。
【０００６】
方法二、フィルタリング機能。
ネットワークサーバーから入力されるデータまたはコマンドはすべて指定されるから形式以外のものは通過させない。
【０００７】
方法三、代理SQL発行機能。
SQLはネットワークサーバーから直接に発行することはできない、SQL発行はすべてSGSが行い、その実行結果もすべてSGS側で取得する、取得された結果は再びフィルタリングを通って必要なものだけインターネットサーバーに返される、この代理SQL発行システムはネットワークサーバー上で発生するデータを柔軟に内部のデータベースに接続するために必要となるものである。
【発明の効果】
【０００８】
本発明は内部のメインフレーム及びサーバー系を不正アクセスまたはウイルスなどから保護するという利点と内部からSQL発行するにより柔軟なアプリケーション対応が出来ることである。
【発明を実施するための最良の形態】
【０００９】
現在の総合病院はほとんどの場合メインフレーム、または大型サーバー系によって主業務が運用されている、たとえば、患者の予約管理システムもその中の重要な処理の一つである、この場合、窓口による予約または待合室に設置した自動予約機からの予約などに限定されている、そこで、例えばインターネットやメールまたはCTI（音声自動応答システム）などによる予約受付機能を追加したい場合、外部のネットワークに接続したネットワークサーバーを内部のシステム系に接続する必要がある、本製品SGSはこのような場合、ネットワークサーバーと病院のシステム系の間に接続して、外部からの不正侵入やウイルスに対しての防御を行うと同時にSGS内部からSQLを発行することにより病院側のデータベースを安全に操作することができる、これによって病院内部から見てネットワークサーバーはブラックボックスとなりネットワーク上の予約情報を簡単に内部の予約システムに関係づけることができる。
【実施例１】
【００１０】
図１は、ネットワークサーバーがインターネット及び公衆電話回線網に接続している、そして、SGSを介して病院内のデータベースに接続していることを示している。
【実施例２】
【００１１】
図2は、SGSの各処理を行う層を示している、ネットワークサーバーより入力するデータは動的ポート制御テーブルにその要求を出し、接続するポート番号を教えてもらう、そのポート番号を使ってSGSに入る、その次に、アプリケーションファイアウオールのフィルタ追加して、SQLの生成を行い、実際にデータベースへ接続する、返されたデータがあればデータが変換されて再びアプリケーションファイアウオール層を通過してネットワークサーバーに返される。
【００１２】
【図面の簡単な説明】
【００１３】
【図１】動作環境要求定義を示した図である。（実施例１）
【図２】SGSの階層構造を示した図である。（実施例２）
【図１】
2008140315.tif 000003
【図２】
2008140315.tif 000004
(57)【要約】      （修正有）【課題】掲示物を取外す手間が省け、掲示期限を過ぎた掲示物が自動的に取り外される掲示板を提供する。【解決手段】掲示用シート２とシート状の磁性体を備えた透明な薄膜５の間にシート状の掲示物を掲示し、掲示用シートと薄膜がそれぞれを駆動させる駆動部６，７により動作し、薄膜とシートの間に隙間が出来たときに磁力が弱まり掲示物が外れる構造とした。【選択図】図２
2008275810.tif 000002
【特許請求の範囲】
【請求項１】
シート状の掲示物を保持するための枠体を有する掲示板であって、強磁性体を覆う掲示用シートと掲示用シートを移動するための駆動部とを備えたシート部構造体と、シート部構造体を覆うシート状の磁性体を備えた透明な薄膜と薄膜を移動するための駆動部を備えた薄膜部構造体と、シート状の掲示物を掲示用シートから分離させるための掲示物分離板とを備えた掲示板。
【請求項２】
請求項１に記載の掲示板においてタイマー機能を備え表示期限の設定が行えることを特徴とした掲示板。
【請求項３】
請求項２に記載の掲示板において掲示物の掲示期限の設定は、掲示期間もしくは取り外す日時を指定することで設定を行う掲示板。
【請求項４】
請求項１から３に記載の掲示板を一つ若しくは複数備えた掲示板。
【発明の詳細な説明】
【技術分野】
【０００１】
本発明は、シート状の掲示物を掲示するための掲示板に関する。
【背景技術】
【０００２】
一般に掲示板は掲示物を掲示した人、もしくは掲示板を管理する人が掲示物の取り外しを行っている。
【発明の開示】
【発明が解決しようとする課題】
【０００３】
上述のような掲示板では、掲示物を取外す手間がかかり、また期限を過ぎた掲示物が掲示されていることがある。そこで掲示物の期限をあらかじめ設定しておき、その期限が来た時に自動的に掲示物を取り外す機能を持った掲示板を提供することを課題とする。
【課題を解決するための手段】
【０００４】
本発明に係わる掲示板は、掲示用シートとシート状の磁性体を備えた透明な薄膜の間にシート状の掲示物を掲示し、掲示用シートと薄膜がそれぞれを駆動させる駆動部により動作し、薄膜とシートの間に隙間が出来たときに磁力が弱まり掲示物が外れる。
【発明の効果】
【０００５】
本発明に係わる掲示板は、掲示物をいつまでも掲示することなく、掲示板を効率的に運用し、また掲示物を取り外す手間を省くことができる。
【発明を実施するための最良の形態】
【０００６】
以下本発明を実施するための最良の形態を、図に示す実施例を参照して説明する。
【実施例１】
【０００７】
掲示用シート４と薄膜５の間にシート状の掲示物を掲示し、その掲示物をどれだけの期間掲示するか、もしくはいつまで掲示するかをタイマー３で設定する。
【０００８】
タイマー３で設定した時間になると、シート部用駆動部６と薄膜部用駆動部７を動かすそれぞれのモーターが回転し、掲示用シート４と薄膜５が動く。
【０００９】
シート状の掲示物は、掲示物分離板８により掲示用シート４と分離され、磁力が弱まることにより、掲示物が外れる。
【図面の簡単な説明】
【００１０】
【図１】本発明に係わる掲示板の一実施例の斜視図である。
【図２】本発明の掲示板の一つ分の断面図である。
【図３】本発明の掲示板のシステムの構造を示す図である。
【符号の説明】
【００１１】
１  本体
２  掲示部
３  タイマー
４  掲示用シート
５  薄膜
６  掲示部用駆動部
７  薄膜部用駆動部
８  掲示物分離板
【図１】
2008275810.tif 000003
【図２】
2008275810.tif 000004
【図３】
2008275810.tif 000005
(57)【要約】【課題】  変速機において、入力軸が無回転の状態からでも、既に回転している出力部にさらに加速させることができる機構を提供する。【解決手段】  遊星歯車、太陽歯車、内歯車、ローラー、クサビを組み合わせる。ローラー軸とクサビ軸を入力軸盤穴に挿入し、入力軸盤と入力軸を直結する。内歯車を出力部とする。    このように構成した変速機により上記課題を解決する。【選択図】図１
2008275140.tif 000002
【特許請求の範囲】
【請求項１】
遊星歯車、太陽歯車、内歯車、ローラー、クサビを組み合わせて構成された変速機
【発明の詳細な説明】
【技術分野】
【０００１】  本発明は、入力軸が無回転の状態からでも、既に回転している出力部をさらに加速させることができる機構に関するものである。
【背景技術】
【０００２】  従来の回転機器においては、既に回転している出力部にさらに加速する際には、その時点における入力軸の回転数からさらに回転数を上げなければならない。
【発明の開示】
【発明が解決しようとする課題】
【０００３】  出力部の回転数を上げようとするのであれば、その加速分の力だけが必要であるのに、従来の回転機器では入力軸の加速前の回転を維持するためのエネルギーを無駄に使用している。本発明は、入力側エネルギーの無駄を低減するために、入力軸が無回転の状態からでも既に回転している出力部にさらに加速させることができる機構とした。
【課題を解決するための手段】
【０００４】  上記課題を解決するために、遊星歯車、太陽歯車、内歯車、ローラー、クサビを組み合わせる。ローラー軸とクサビ軸を入力軸盤穴に挿入し、入力軸盤と入力軸を直結する。内歯車を出力部とする。
遊星歯車、ローラー、ローラー軸、クサビ、クサビ軸の組み合わせを１セットとし、１セットまたは複数セットを遊星歯車機構に組み込む。
【発明の効果】
【０００５】  本発明は、出力部を加速させるための入力部のエネルギーを低減させることができる。
【発明を実施するため最良の形態】
【０００６】  本発明の実施の形態について図面を参照にして説明すると、図１の正面図のとおり太陽歯車１と内歯車３の間に遊星歯車２を組み込む。遊星歯車２の内側にローラー４を組み込む。クサビ５を太陽歯車１と遊星歯車２の間に組み込む。
図１の断面図のとおり太陽歯車１と遊星歯車２の歯部にクサビ５が入るように各歯車周囲に溝を切り込む。
【実施例１】
【０００７】  本発明は、以上説明したように構成されているので、以下に記載している効果を奏する。
出力部が無回転の状態において、入力軸を左回転させるとクサビが遊星歯車と太陽歯車の間に入り込むので遊星歯車、太陽歯車、内歯車が固定され内歯車は左回転する。この時クサビと同様にローラーも移動するが、遊星歯車内に空間があるのでローラーは遊星歯車に作用しない。次に入力軸の回転を停止させるとローラーにより遊星歯車が公転を停止し自転する。惰性で内歯車が左回転していると遊星歯車が左回転し、太陽歯車は右回転する。この状態から入力軸を左回転させると、クサビが遊星歯車と太陽歯車の間に入り込むので、遊星歯車は自転しながらに公転し内歯車の回転数がさらに上がる。
上記のとおり、入力軸が無回転の状態からでも、既に回転している内歯車が加速されるので連結されている出力部を加速させることができる。
【実施例２】
【０００８】  実施例１では入力軸を左回転させる例をあげたが、右回転させる場合においても出力部を加速することができる。この場合は遊星歯車に対してローラーとクサビの位置を１８０度変えて設置する。
【産業上の利用の可能性】
【０００９】  本発明は、入力軸が無回転の状態からでも、既に回転している出力部にさらに加速させることができるので、入力側のエネルギーの無駄を低減させることができる。
【図面の簡単な説明】
【００１０】
【図１】  遊星歯車、太陽歯車、内歯車、ローラー、クサビを組み合わせる。ローラー軸とクサビ軸を入力軸盤穴に挿入し、入力軸盤と入力軸を直結する。内歯車を出力部とする。
【符号の説明】
【００１１】１は太陽歯車である。
２は遊星歯車である。
３は内歯車である。
４はローラーである。
５はクサビである。
６はローラー軸である。
７はクサビ軸である。
８は入力軸である。
９は入力軸盤である。
【図１】
2008275140.tif 000003
(57)【要約】      （修正有）【課題】ボルトの芯が必ず合わなくとも接合できるフランジ継手を提供する。【解決手段】フランジ１のボルトの穴２を長穴にすることで、ボルトがスムーズに入るので作業効率が上がる。【選択図】図１
2008275141.tif 000002
【特許請求の範囲】
【請求項１】
フランジを中心にした円周方向に等間隔に複数のボルト穴を設けて、それぞれのボルトの穴は長穴としたことを特徴とするフランジ。
【請求項２】
フランジの接合する側と反対の側の面であって、長穴の周囲を全体に肉厚にした請求項１記載のフランジ。
【発明の詳細な説明】
【技術分野】
【０００１】工場用設備フランジに関する発明である。
【背景技術】
【０００２】従来のフランジ接合は、ボルトの芯を必ず合わせないと接合できないし、ボルトの芯が少しでもずれているとボルトが通らずに接合できない。
【課題を解決するための手段】
【０００３】第一の発明は、フランジを中心にした円周方向に、等間隔に複数のボルト穴を、長穴としたことを特徴とするフランジである。第二の発明はフランジの接合側と反対側の面であって、長穴の周囲を全体に肉厚した請求項１記載のフランジである。
【発明の効果】
【０００４】ボルト穴を円周方向に長穴にすることで、ボルトがスムーズに入る。
【発明を実施するための最良の形態】
【０００５】塩ビパイプや、鉄やステンレスパイプの繋ぎ合わせに用いる。フランジには、パイプの直径により、いろんなサイズやボルト穴の数も違う。そこでボルトの穴をフランジの径にそって、ボルトの穴の中心から３ｍｍ〜２０ｍｍまでの円周方向に穴を広げて、長穴とする。また塩ビ継手の場合は、ボルトの穴を円周方向に広げたことで、フランジ自信の強度不足の恐れがあるので、円周方向に広げたボルトの長穴の部分全体を肉厚することで、強度を出す。
【実施例】
【０００６】図１について説明する。本図は、フランジの接合する側と反対側の方向から見た平面図である。フランジは、ＴＳフランジ４０の側である。ボルトの穴は４個であり、フランジは直径１４０ｍｍであり、これと同じ円で直径１１０ｍｍの円周上に等間隔に、４個のボルト用長穴を設けた。この長穴の周辺全体に高さ５ｍｍ〜２０ｍｍの肉厚部分を設けた。長穴は、ボルト径２０ｍｍ用の物であり、この場合長穴の巾は２０ｍｍ。円周方向の長さは６０ｍｍであった。図２は、上記図１のＡ−Ａ断面図である。
【産業上の利用可能性】
【０００７】一方のフランジを従来通りのボルト穴を備えたフランジで、もう片方のフランジは本発明であるフランジの径にそって、円周方向の長穴としたフランジを利用することで、ボルトの穴の芯が２０ｍｍずれていてもボルトがスムーズに入る。【０００８】両方のフランジを円周方向の長穴にしたフランジを利用することで、ボルトの芯が４０ｍｍずれがあっても対処できる。【０００９】塩ビや、鉄、ステンレスをパイプに接着や溶接する時、多少の直角水平がずれたとしても、フランジの径にそってボルトの穴を長穴とする。フランジを利用することでボルトがスムーズに入るので、接着や溶接する時、多少の直角水平がずれたとしても、もう一度直角水平に直す必要がないので、現場や工場でスムーズに施工できるので時間の短縮や作業効率も上がる。
【図面の簡単な説明】
【００１０】
【図１】本発明の実施形態を示すフランジの平面図
【図２】図１に示すＡ−Ａ断面図
【００１１】１    フランジ２    ボルト穴３    肉厚
【図１】
2008275141.tif 000003
【図２】
2008275141.tif 000004
(57)【要約】【課題】  時刻を表示するのに必要な面積を小さくすることができるように、時刻を表示する部分の増減に合わせて、目盛も増減させながら時刻を表示するようにした時計を提供する。【解決手段】  時の単位を表示する部品群（１）と、分の単位を表示する部品群（２）を配置した時計を特徴とする。【選択図】図１
2008275571.tif 000002
【特許請求の範囲】
【請求項１】
時刻を表示する部分の増減に合わせて、目盛も増減させながら時刻を表示する時計。
【発明の詳細な説明】
【技術分野】
【０００１】  この発明は、時刻を表示する部分の増減に合わせて、目盛も増減させながら時刻を表示する時計に関するものである。
【背景技術】
【０００２】  従来、時計は時刻を表示する部分が回転するか、明暗または色が変化することによって時刻を表示していた。
【発明の開示】
【発明が解決しようとする課題】
【０００３】  これは、次のような欠点があった。
従来、時刻を表示する部分の明暗または色が変化することによって時刻を表示する時計は、比較的大きな面積が必要であった。
本発明は、この面積を小さくするためになされたものである。
【課題を解決するための手段】
【０００４】  本発明は、時刻を表示する部分の増減に合わせて、目盛も増減させながら時刻を表示する時計である。
【発明の効果】
【０００５】  時刻を表示する部分の面積を小さくできるので、以下のような効果が生まれる。
（イ）時計を小さくすることができる。
（ロ）時刻を表示する部分の部品の配置に自由度が生まれるため、従来になかったデザインの時計を製造することができる。
【発明を実施するための最良の形態】
【０００６】  以下、本発明を実施するための最良の形態について説明する。
（イ）時の単位を表示する部品を１２個並べ、端から順に、「０」から「１１」までの数字を割り当てる。
（ロ）分の単位を表示する部品を１２個並べ、端から順に、「０」から５分おきに、「５５」までの数字を割り当てる。
本発明は、以上のような構造である。
これによって、以下のように時刻を表示する。
（ハ）各部品に意味づけられた時刻を表示するときには、該当する部品を変化させる。
（ニ）「３」時や「１５」分など、３時間おきの時や１５分おきの分を表示するときには、その時刻の前の３時間おきの時や１５分おきの分に該当する部品を目盛として変化させる。
他の構造として、以上の構造に、以下のような変更を加えた時計。
（ホ）分の単位を十の位と一の位に分け、十の位は「０」から「５」、一の位は「０」から「９」までに該当する部品を並べる。
【図面の簡単な説明】
【０００７】
【図１】  本発明の平面図であり、１０時２０分を表示している例である。
【符号の説明】
【０００８】  １  時の単位を表示する部品群。
２  分の単位を表示する部品群。
【図１】
2008275571.tif 000003
(57)【要約】      （修正有）【課題】時刻を表示する部品の数を減らしても、時刻を表示することが可能な時計を提供する。【解決手段】時の単位を表示する部品１〜４と、分の単位を表示する部品５〜８をそれぞれ４つずつ配置し、部品１は「０」、部品２は「３」、部品３は「６」、部品４は「９」の時の単位とし、部品５は「０」、部品６は「１５」、部品７は「３０」、部品８は「４５」の分の単位し、時刻を表示するときには、該当する部品の明暗または色の変化の度合いによって時刻を表示させる。【選択図】図２
2008275570.tif 000002
【特許請求の範囲】
【請求項１】
（イ）時刻を表示する部分の明暗の変化に度合いを持たせる。
（ロ）時刻を表示する部分の色の変化に度合いを持たせる。
以上のいずれか、または両方の組み合わせによって時刻を表示する時計。
【発明の詳細な説明】
【技術分野】
【０００１】  この発明は、時刻を表示する部分の明暗の変化の度合いと色の変化の度合いのうちいずれか、または両方の組み合わせによって時刻を表示する時計に関するものである。
【背景技術】
【０００２】  従来、時計は時刻を表示する部分が回転するか、明暗または色が変化することによって時刻を表示していた。
【発明の開示】
【発明が解決しようとする課題】
【０００３】  これは、次のような欠点があった。
従来、時刻を表示する部分の明暗または色が変化することによって時刻を表示する時計は、多くの部品が必要であった。
本発明は、この部品の数を減らすためになされたものである。
【課題を解決するための手段】
【０００４】（イ）時刻を表示する部分の明暗の変化に度合いを持たせる。
（ロ）時刻を表示する部分の色の変化に度合いを持たせる。
本発明は、以上のいずれか、または両方の組み合わせによって時刻を表示する時計である。
【発明の効果】
【０００５】時刻を表示する部分の部品の数を減らせるので、以下のような効果が生まれる。
（イ）時計の製造にかかる費用を減らせる。
（ロ）時計を小さくすることができる。
（ハ）時刻を表示する部分の部品の配置に自由度が生まれるため、従来になかったデザインの時計を製造することができる。
【発明を実施するための最良の形態】
【０００６】  以下、本発明を実施するための最良の形態について説明する。
時の単位を表示する部品を４つ並べ、以下のように意味づける。
（イ）１番目の部品は「０」。
（ロ）２番目の部品は「３」。
（ハ）３番目の部品は「６」。
（ニ）４番目の部品は「９」。
分の単位を表示する部品を４つ並べ、以下のように意味づける。
（ホ）１番目の部品は「０」。
（ヘ）２番目の部品は「１５」。
（ト）３番目の部品は「３０」。
（チ）４番目の部品は「４５」。
本発明は、以上のような構造である。
これによって、以下のように時刻を表示する。
（リ）各部品に意味づけられた時刻を表示するときには、該当する部品のみ変化させる。
（ヌ）ある部品と、その次の部品に意味づけられた時刻の間に該当する時刻を表示するときには、その時刻の前の部品と次の部品の両方を変化させる。
他の構造として、以上の構造に、以下のような部品を追加した時計。
（ル）時の単位である「１２」に意味づけられた部品。
（ヲ）分の単位である「６０」に意味づけられた部品。
【図面の簡単な説明】
【０００７】
【図１】  本発明の平面図であり、９時１５分を表示している例である。
【図２】  本発明の平面図であり、１０時１０分を表示している例である。
【符号の説明】
【０００８】１  ０時に意味づけられた部品。
２  ３時に意味づけられた部品。
３  ６時に意味づけられた部品。
４  ９時に意味づけられた部品。
５  ０分に意味づけられた部品。
６  １５分に意味づけられた部品。
７  ３０分に意味づけられた部品。
８  ４５分に意味づけられた部品。
９  １２時に意味づけられた部品。
１０  ６０分に意味づけられた部品。
【図１】
2008275570.tif 000003
【図２】
2008275570.tif 000004
(57)【要約】【課題】  簡単な操作で、誰にでも容易にタイヤ交換が出来、その上低価格で消費者が入手できるタイヤ交換ジャッキを提供する。【解決手段】  ローラ支持板の両端にローラを取り付ける。更にパンタグラフ型ジャッキのリンクを左右に分離したかたちで、ローラ支持板の底面と台座に固定して取り付けたことを特徴とするタイヤ交換ジャッキ。【選択図】図１
2008162570.tif 000002
【特許請求の範囲】
【請求項１】
ローラ支持板の両端にタイヤを乗せるローラを、中心にはローラに平行にスケール収納溝を設け、その奥に蝶番等で固定した伸縮可能なスケールを取り付ける。
更に、パンタグラフ型ジャッキのリンクを左右に分離したかたちで、それぞれを上記ローラ支持板の底面と台座に固定し取り付けたことを特徴とするタイヤ交換ジャッキ。
【発明の詳細な説明】
【技術分野】
【０００１】  本発明は、自動車の車軸に設けられたタイヤ取付け部のボルトと、タイヤホイールのボルト穴の位置を合わせ、タイヤ取り付け部にタイヤを取り付けるタイヤ交換ジャッキに関するものである。
【背景技術】
【０００２】  家庭で自動車のタイヤを交換するときは、ホイールからナットをはずした後タイヤを手で持って取り外していた。取り外すときは特に補助道具を用いなくてもそれほどの苦労もなく出来るが、取り付けには重いタイヤを手で持って作業をするため、相当な労力を要した。これを手で持たずに出来る補助道具は無いかと、量販店等を探したが家庭用としての製品は無かった。勿論、今までに市中に出回っているのを見かけたこともない。
【発明の開示】
【発明が解決しようとする課題】
【０００３】  そのために、次のような問題点があった。
（イ）特に積雪地では、普通タイヤと冬用タイヤは季節に応じて年２回交換しなければならない。そのためタイヤの交換には、相当な労力または費用を要した。
（ロ）タイヤを取り外すときはともかく、取り付けるときは重いタイヤを手で持ち上げ、タイヤ取付け部のボルトにホイールのボルト穴を合わせて嵌め込まなければならない。一度で合致すればまだ良いが、なかなか合致しないときなどは重いタイヤを長い間持ち、しかも中腰で作業しているため腰への負担が大きく腰を痛める人も多い。特に力の弱い高齢者や女性には、仮に出来ても大変な重労働であり作業時間も長時間を要す。
（ハ）ＲＶ車、キャンピングカーなど更に重いタイヤでは、若い男性でも一人で作業を行うことは困難である。
本発明は、これらの問題点を解決するためになされたものである。
【問題を解決するための手段】
【０００４】  ローラ支持板の両端にローラを取り付け、中心にはローラに平行にスケール収納溝を設ける。その奥に蝶番等で固定し立てたり倒したりでき、また伸縮も可能なスケールを取り付ける。
更に、パンタグラフ型ジャッキのリンクを左右に分離したかたちで、それぞれをローラ支持板の底面と台座に固定し取り付けたことを特徴とするタイヤ交換ジャッキ。
【発明の効果】
【０００５】  本発明を使用することにより、高齢者や女性など力の弱い人でも、腰を痛めることなく家庭で容易に、しかも短時間でタイヤ交換が可能となる。
また、ＲＶ車やキャンピングカーなどの重いタイヤでも年齢性別を問わず交換が可能である。更に本発明は、構造が簡単で小型なため消費者に安価で提供できる。
【発明を実施するための最良の形態】
【０００６】  以下、本発明の実施の形態について説明する。
（イ）ローラ支持板（１）の両端にローラ（２）を取り付ける。支持板（１）の中央にはローラ（２）に平行にスケール収納溝（３）を設け、その奥に立てたり倒したり出来るスケールａ（４）を蝶番等で取り付ける。スケールａ（４）は中空とし、その中にスケールｂ（５）を伸縮可能な状態で収納する。
（ロ）ローラ支持板（１）の底面と台座（９）の上にパンタグラフ型ジャッキのリンク（６）を左右に分離したかたちでそれぞれ取り付ける。これはジャッキを最低位置まで下ろしたとき、ねじの頭（８）が支持板（１）の下にならないためと、使用中の安定性を確保するためである。
（ハ）左右のリンク（６）は一本のねじ（７）で連結され、ねじの頭（８）はナット型とする。
（ニ）使用中に本発明が滑って移動しないように、台座（９）の底面周囲に、板ゴム等で滑り止め（１０）を付ける。
本発明は以上のような構成で、タイヤを取り付けるときは「図３」のように本発明のスケールａの基部（４’）がタイヤ取付け部（１１）の中心点の直下になるように置き、スケールｂの頭（５’）を指でつまみ、スケールａ（４）を垂直に立てる。
ここでスケールｂの頭（５’）とタイヤ取付け部（１１）の中心点が一致していなければ本発明の位置を移動して一致したところに設置する。スケールｂの頭（５’）がタイヤ取付け部（１１）の中心点より低いときは必要に応じてスケールｂの頭（５’）を引き上げて、中空のスケールａ（４）に収容されているスケールｂ（５）を伸ばす。本発明の設置位置が確定したら逆の手順でスケールａ（４）を収納溝（３）に収める。
次に、「図４」のようにローラ（２）の上にタイヤ（１３）を片手で押さえながら立てて乗せ、ねじの頭（８）をスパナ又はトルクレンチ等で回しながら上下させ、タイヤ取付け部のボルト（１２）「図３」とホイールのボルト穴（１５）の高さを合わせる。
あとは両手でタイヤ（１３）を右又は左に若干回転させ、ボルト（１２）とボルト穴（１５）が合致するように微調整する。このときローラ（２）も同時に回転するので位置合わせは容易に出来る。
最後にタイヤの下部を手で押してローラ（２）の上を滑らせホイールのボルト穴（１５）をボルト（１２）に嵌め込み、ナットで固定して取付けを完了する。
なお、ジャッキはタイヤを上下させるためのもので、それに耐える力があればよく、ストローク（ジャッキの上げ幅）も車両のジャッキアップの高さにもよるが、通常であれば１０ｃｍ前後あれば十分なので極めて小型なもので足りる。
【図面の簡単な説明】
【０００７】
【図１】  本発明の正面図
【図２】  本発明のスケールを垂直に立てたローラ支持板の斜視図
【図３】  本発明の使用方法を示す正面図（１）
【図４】  本発明の使用方法を示す正面図（２）
【符号の説明】
【０００８】  １    ローラ支持板
２    ローラ
３    スケール収納溝
４    スケールａ
４’  スケールａの基部
５    スケールｂ
５’  スケールｂの頭
６    リンク
７    ねじ
８    ねじの頭
９    台座
１０    滑り止め
１１    タイヤ取付け部
１２    タイヤ取付けボルト
１３    タイヤ
１４    ホイール
１５    ホイールのボルト穴
【図１】
2008162570.tif 000003
【図２】
2008162570.tif 000004
【図３】
2008162570.tif 000005
【図４】
2008162570.tif 000006
(57)【要約】【課題】短距離離着陸効果を上げるために、フラップを伸縮させるタイプは機構が複雑で小型機には向かない。またジェット噴流を固定翼の上面に流すタイプは、固定翼の狭い部分でしか効果を生じることができないし、プロペラ機では使えない。また推進プロペラを前方斜め上に向けるタイプは機構が複雑である。そこでこの発明は、簡単な装置で上昇力を発生し、短距離離着陸できる飛行機を提供することを課題とする。【解決手段】固定翼の揚力の他に、進行方向と直角で水平軸周りに回転する回転翼を具備し、その回転翼が上昇力を付加することを特徴とする。【選択図】図３
2008162539.tif 000002
【特許請求の範囲】
【請求項１】
進行方向と直角で水平な軸周りに回転する回転翼を具備したことを特徴とする飛行機。
【発明の詳細な説明】
【発明の詳細な説明】
【技術分野】
【０００１】  この発明は、短距離で離陸、及び着陸できる飛行機に関する。
【背景技術】
【０００２】  従来の短距離離着陸機は、フラップの効果で揚力を増加させるもの、翼の上部にジェット噴流を流して揚力を増加させる機能が設けられたもの、推進プロペラを前方斜め上に向けて、推進力と上昇力を同時に得る機能を持たせたものである。
【発明が解決しようとする課題】
【０００３】  しかしながら、以上の技術によれば、フラップを伸縮させる機構は複雑であり、小型機には向かない。またジェット噴流は固定翼の狭い部分でしか効果を生じることができないし、プロペラ機では使えない。また推進プロペラを前方斜め上に向ける機構も複雑である。
そこでこの発明は、簡単な装置で上昇力を発生し、短距離で離着陸できる飛行機を提供することを課題とする。
【課題を解決するための手段】
【０００４】  以上の課題を解決するために、固定翼の他に、進行方向と直角で水平な軸周りに、風を受けて自由に回転する回転翼を具備し、その回転翼が回転することで上昇力を付加させることを特徴とする飛行機である。
【発明を実施するための形態】
【０００５】  この発明の一実施形態を図１から図６に示す。
図１はこの発明の飛行機の平面図であり、図２は正面図、図３は側図である。
図４で示すように、回転翼支持部３に支持された回転翼１は風５を受けると回転軸２を中心として、回転方向６に回転する。このとき回転翼１を移動させようとする力すなわち上昇力７が働く。
従って、この装置を飛行機の主翼の上に設置すれば、上昇力を増加させることができる。また、動力で回転させても同じような効果が得られる。その場合は回転翼を平板にしてもよい。
【発明の効果】
【０００６】  この発明によれば、固定翼の揚力に加えて、回転翼による上昇力が付加され、低速度で、すなわち短距離で離着陸できる。
また、上昇後、回転翼を適当な迎角で固定することにより、複葉機の形態になり、従来機並みに巡航スピードを上げることができる。さらには万が一のエンジントラブル時には、回転翼のオートローテイションにより、前進力が発生し、地面に激突するスピードをやわらげることができる。
【図面の簡単な説明】
【０００８】
【図１】この発明の回転翼を具備した飛行機の平面図である。
【図２】この発明の回転翼を具備した飛行機の正面図である。
【図３】この発明の回転翼を具備した飛行機の側面図である。
【図４】この発明の回転翼の側面図である。
【図５】この発明の飛行機が回転翼を巡航体制に固定した飛行機の側面図である。
【図６】この発明の回転翼を固定した時の側面図である。
【符号の説明】
１  回転翼
２  回転中心
３  回転翼支持部
４  飛行機の固定翼
５  空気の流れ（風）
６  固定翼の回転方向
７  上昇力の方向
【図１】
2008162539.tif 000003
【図２】
2008162539.tif 000004
【図３】
2008162539.tif 000005
【図４】
2008162539.tif 000006
【図５】
2008162539.tif 000007
【図６】
2008162539.tif 000008